(57)【要約】【課題】多層ディスクにおけるターゲット層に直接フォーカス引込みを行うことができる光ディスク装置を提供する。【解決手段】フォーカスオフセット加算手段２５０ｂにより、フォーカスエラー信号にオフセットを加算する。オフセット加算量に応じて、フォーカスバランス調整手段２５０ａによりフォーカスバランスをフォーカスオフセット加算前と同じ最適なバランスに補正する。【選択図】図３
2012252767.tif 000002
【特許請求の範囲】
【請求項１】
複数の情報記録層を有する光ディスクの情報記録層にレーザ光を合焦させる対物レンズ、および前記情報記録層からの反射光を受ける光検出器を含むピックアップを有した光ディスク装置であって、
前記光検出器の信号からフォーカスエラー信号を生成するフォーカスエラー信号生成部と、
前記フォーカスエラー信号生成手段が生成したフォーカスエラー信号が第１レベルを超え、その後、前記第１レベルよりも低い第２レベル以下になったときにフォーカス制御を動作させるフォーカス引込み部と、
を備え、
前記フォーカスエラー信号生成部は、
前記光検出器の信号のバランスを調整するフォーカスバランス調整部と、
前記光検出器の信号又は前記フォーカスバランス調整部の出力信号にオフセットを加算するフォーカスオフセット加算部と
を有する、光ディスク装置。
【請求項２】
前記フォーカスオフセット加算部は、フォーカス引き込みのターゲットとなる情報記録層よりも手前の情報記録層におけるフォーカスエラー信号が前記第１レベルよりも低くなるように、前記光検出器の信号又は前記フォーカスバランス調整部の出力信号にオフセットを加算し、
前記フォーカスバランス調整部は、前記オフセットの加算によって低下した前記フォーカスエラー信号のレベルを高め、フォーカス引き込みのターゲットとなる前記情報記録層における前記フォーカスエラー信号が前記第１レベルよりも高くなるようにする、請求項１に記載の光ディスク装置。
【請求項３】
前記フォーカスオフセット加算部は、フォーカス引き込みのターゲットとなる情報記録層よりも手前の情報記録層におけるフォーカスエラー信号が前記第１レベルの半分以下となるように、前記光検出器の信号又は前記フォーカスバランス調整部の出力信号にオフセットを加算する、請求項２に記載の光ディスク装置。
【請求項４】
前記フォーカスバランス調整部は、フォーカス引き込みのターゲットとなる前記情報記録層における前記フォーカスエラー信号が前記第１レベルの２倍以上になるようにする、請求項２に記載の光ディスク装置。
【請求項５】
前記フォーカス引込み部は、フォーカス引き込みのターゲットとなる情報記録層に応じて、前記フォーカスバランス調整部の出力信号に加算する前記オフセットの大きさを変化させる、請求項１に記載の光ディスク装置。
【請求項６】
メモリを備え、
前記フォーカスバランス調整部の出力信号に加算する前記オフセット、および、前記フォーカスバランス調整部が前記光検出器の信号のバランスを規定するパラメータは、フォーカス引き込みのターゲットとなる情報記録層に応じて予め決定されており、前記メモリ内に記録されている、請求項１に記載の光ディスク装置。
【発明の詳細な説明】
【技術分野】
【０００１】
本発明は、フォーカスエラー信号にバランス補正およびオフセット補正を行うことで、確実にターゲット層にフォーカス引込みを行うことができる光ディスク装置に関する。
【背景技術】
【０００２】
光ディスクは、光ディスク装置に装填されると、スピンドルモータによって回転されられる。再生モードまたは記録モードでは、回転する光ディスクに対して、光ピックアップから光ビームが照射される。光ピックアップは、光ビームを光ディスク上に集束させる対物レンズ、光ディスクからの反射光を検出する光検出器、およびレーザダイオードなどの光源を備えている。また、光ピックアップは、対物レンズの位置および姿勢を制御するアクチュエータを備えている。
【０００３】
光ディスクにおける目標位置に光ビームを照射するには、光ディスクから反射された光ビームを光ピックアップが受け取り、フォーカスエラー信号およびトラッキングエラー信号が生成される。フォーカスエラー信号は、フォーカスが合っている状態からのずれの大きさ（フォーカスエラー）を示す情報を有している。公知のフォーカスサーボ制御を実行することにより、フォーカスエラーの振幅をゼロに近づけるようにアクチュエータが動作し、対物レンズの位置および姿勢が調整される。一方、トラッキングエラー信号は、目標トラックの中心に対する光ディスク径方向における光スポット位置のずれの大きさ（トラッキングエラー）を示す情報を有している。公知のトラッキングサーボ制御を実行することにより、トラッキングエラー信号の振幅をゼロに近づけるようにアクチュエータが動作し、対物レンズの位置および姿勢が調整される。
【０００４】
光ディスクに記録されているデータは、比較的弱い一定の光量の光ビームを回転する光ディスクに照射し、光ディスクによって変調された反射光を検出することによって再生される。再生専用の光ディスクには、光ディスクの製造段階でピットによる情報が予めスパイラル状に記録されている。これに対して、書き換え可能な光ディスクでは、スパイラル状のランドまたはグルーブを有するトラックが形成された基材表面に、光学的にデータの記録／再生が可能な記録材料膜が蒸着等の方法によって堆積されている。書き換え可能な光ディスクにデータを記録する場合は、記録すべきデータに応じて光量を変調した光ビームを光ディスクに照射し、それによって記録材料膜の特性を局所的に変化させることによってデータの書き込みを行う。
【０００５】
データが記録されている情報記録層および／またはデータが記録され得る層を「情報記録層」、または、単に「層」と称する。多層光ディスクは、複数の情報記録層が所定の間隔で積層された光ディスクである。多層光ディスクの光入射側表面から各情報記録層までの距離（情報記録層の深さ）は相互に異なる。光ディスクを対物レンズで収束された光ビームで照射するとき、球面収差が発生する。この球面収差は、情報記録層の深さによって異なり、小さいことが望ましい。従って、目的とする情報記録層に光ビームを集光するときは、その情報記録層で球面収差が最小化するように光ビームの集光状態を調整し、球面収差の大きさを補正する必要がある。
【０００６】
多層ディスクにデータを記録するとき、または多層光ディスクからデータを読み出すとき、光ビームの焦点位置を、ある情報記録層から他の情報記録層に移動させることがある。このような光ビームの焦点位置の移動は、対物レンズを光ディスクに近づけたり、光ディスクから遠ざけることによって行われる。光ビームの焦点位置を所望の情報記録層に移動させことを「層間移動」と呼ぶ。対物レンズの移動は、光ピックアップ内のフォーカスアクチュエータによって行う。以下、光ビームの焦点位置を単に「光スポット位置」と称する場合がある。
【０００７】
多層ディスクにおいては、フォーカスアクチュエータによる光スポット位置の速やかな移動技術は必須である。光スポット位置を、ある情報記録層から他の情報記録層に移動させることを「フォーカスジャンプ」と称する。なお、本明細書では、光スポット位置がどの情報記録層上にもない状態から、目標とする情報記録層に移動させることも「フォーカスジャンプ」に含まれるものとする。また、フォーカス引き込みの目標となる情報記録層を「ターゲット層」と称する場合がある。特許文献１では、３層以上の情報記録層を備える多層ディスクにおいて、一度のフォーカスジャンプで、２ある情報記録層から、その情報記録層に隣接する情報記録層を超えて、他の情報記録層（ターゲット層）に光スポットを移動させることが開示されている。この文献に開示されている方法では、まず、現在の情報記録層（第１層）から、その記録情報層（第１層）に隣接する情報記録層（第２層）で球面収差が最小になるように球面収差を補正し、フォーカスアクチュエータによって光スポット位置を第１層から第２層に移動する。こうして、隣接情報記録層（第２層）上に一時的に焦点を合わせ、「合焦状態」を形成する。そして同様に次の情報記録層、すなわち、第２層に隣接する第３層で球面収差が最小になるように球面収差を補正し、フォーカスアクチュエータによって光スポット位置を第２層から第３層に移動する。このように、隣接する情報記録層へのフォーカスジャンプを繰り返すことで、２層以上離れた情報記録層間の光スポット位置の移動においてもフォーカスサーボが不安定になることがなくなる。
【０００８】
特許文献２は、現在フォーカスしている情報記録層から他の情報記録層に対してフォーカスジャンプを行う前に、目標とする情報記録層層で球面収差が最小となるように球面収差補正を行う場合の問題点と解決策が提案されている。
【先行技術文献】
【特許文献】
【０００９】
【特許文献１】特開２００３−２２５４５号公報
【特許文献２】特開２００８−４１１５４号公報
【発明の概要】
【発明が解決しようとする課題】
【００１０】
特許文献１の技術では、隣接する層の間におけるフォーカスジャンプを繰り返すことで２層以上の多層にわたる層間移動を実行するため、球面収差を各情報記録層で最小化するように球面収差補正を繰り返す必要がある。球面収差補正は、機械的に補正レンズを移動させる機構（球面収差補正機構）によって実行されるため、動作が比較的遅い。したがって、上記の従来技術によれば、フォーカスジャンプを開始した後、スポット位置が目的の情報記録層に到達するまでに、長い時間を要する。例えばＢＤ（ブルーレイディスク）の場合、球面収差補正の切り換えに２００ｍｓ、光スポット位置の隣接層間移動に１００ｍｓ程度かかる。ここで、積層されたＮ層（Ｎは３以上の整数）の情報記録層を備える多層光ディスクにおいて、その光ディスク表面（入射側面）から最も離れた位置の情報記録層を「Ｌ０層」と称することとする。そして、Ｌ０層に隣接し、かつ、Ｌ０よりも１層分だけ光ディスク表面に近い位置の情報記録層を「Ｌ１層」と称する。同様にして、Ｌ０層からＫ（Ｋは１以上の整数）層分だけ光ディスク表面に近い位置の情報記録層を「ＬＫ層」と称する。例えば、Ｎが１６のＢＤは、最も奥の位置から順番に積層されたＬ０層、Ｌ１層、Ｌ２層、・・・、Ｌ１５層を備える。このような多数の情報記録層を備えるＢＤにおいて、例えば、第１層（Ｌ１層）から第１１層（Ｌ１１層）まで、１０層の移動（Ｌ１→Ｌ１１）では、３秒の移動時間を要することになる。したがって、このような層間移動を行っている間でもデータの記録や再生を途切れることなく実行するためには、層間移動の時間よりも長い時間に対応したデータ記録容量を備えるバッファメモリを光ディスク装置は備えておく必要がある。従来の光ディスク装置が備える標準的な容量のバッファメモリでは、再生モードではバッファメモリがアンダーフローを引き起こしたり、記録モードではバッファメモリがオーバフローして映像や音声が途切れる。
【００１１】
特許文献２に記載された従来技術によると、スポット位置が目標とする情報記録層に前に、その情報記録層の手前に位置する情報記録層に誤ってフォーカス引き込みが行われる可能性がある。
【００１２】
本発明の目的の１つは、層間移動に要する時間を短縮できるディスク装置を提供することにある。また、本発明の目的の他の１つは、少なくとも１つの情報記録層を横切るようにして目標とする情報記録層にフォーカス引き込みを行うとき、目標となる情報記録層以外の情報記録層に誤ってフォーカスを引き込んでしまうことを抑制した光ディスク装置を提供することにある。
【課題を解決するための手段】
【００１３】
本発明の光ディスク装置は、複数の情報記録層を有する光ディスクの情報記録層にレーザ光を合焦させる対物レンズ、および前記情報記録層からの反射光を受ける光検出器を含むピックアップを有した光ディスク装置であって、前記光検出器の信号からフォーカスエラー信号を生成するフォーカスエラー信号生成部と、前記フォーカスエラー信号生成手段が生成したフォーカスエラー信号が第１レベルを超え、その後、前記第１レベルよりも低い第２レベル以下になったときにフォーカス制御を動作させるフォーカス引込み部とを備え、前記フォーカスエラー信号生成部は、前記光検出器の信号のバランスを調整するフォーカスバランス調整部と、前記光検出器の信号又は前記フォーカスバランス調整部の出力信号にオフセットを加算するフォーカスオフセット加算部とを有する。
【００１４】
ある実施形態において、前記フォーカスオフセット加算部は、フォーカス引き込みのターゲットとなる情報記録層よりも手前の情報記録層におけるフォーカスエラー信号が前記第１レベルよりも低くなるように、前記光検出器の信号又は前記フォーカスバランス調整部の出力信号にオフセットを加算し、前記フォーカスバランス調整部は、前記オフセットの加算によって低下した前記フォーカスエラー信号のレベルを高め、フォーカス引き込みのターゲットとなる前記情報記録層における前記フォーカスエラー信号が前記第１レベルよりも高くなるようにする。
【００１５】
ある実施形態において、前記フォーカスオフセット加算部は、フォーカス引き込みのターゲットとなる情報記録層よりも手前の情報記録層におけるフォーカスエラー信号が前記第１レベルの半分以下となるように、前記光検出器の信号又は前記フォーカスバランス調整部の出力信号にオフセットを加算する。
【００１６】
ある実施形態において、前記フォーカスバランス調整部は、フォーカス引き込みのターゲットとなる前記情報記録層における前記フォーカスエラー信号が前記第１レベルの２倍以上になるようにする。
【００１７】
ある実施形態において、前記フォーカス引込み部は、フォーカス引き込みのターゲットとなる情報記録層に応じて、前記フォーカスバランス調整部の出力信号に加算する前記オフセットの大きさを変化させる。
【００１８】
ある実施形態において、前記光ディスク装置はメモリを備え、前記フォーカスバランス調整部の出力信号に加算する前記オフセット、および、前記フォーカスバランス調整部が前記光検出器の信号のバランスを規定するパラメータは、フォーカス引き込みのターゲットとなる情報記録層に応じて予め決定されており、前記メモリ内に記録されている。
【発明の効果】
【００１９】
本発明は、フォーカスエラー信号にオフセットを加え、このオフセット量に応じてターゲット層のフォーカスバランスを補正することで、ターゲット層以外のフォーカスエラー信号を所定レベル以下にすることで、ターゲット層にフォーカスを直接引き込めることができる。
【図面の簡単な説明】
【００２０】
【図１】本発明の実施形態１における光ディスク装置の概略構成を示すブロック図
【図２】図１の光ピックアップ１０３、サーボ制御回路１０６とその周辺部分をより詳細に記載したブロック図
【図３】図２のＦＥ信号生成部２５０とその周辺部分をより詳細に記載したブロック図
【図４】本発明のバランス補正およびオフセット補正に関する動作を示す図
【図５】球面収差補正装置の構成例を示す図
【発明を実施するための形態】
【００２１】
（実施の形態１）
以下、本発明の実施形態１について説明する。本実施形態では、光ディスク装置としてＢＤレコーダに適用する場合について説明する。なお本発明は、ＢＤプレーヤにも適用できる。
【００２２】
本実施形態における光ディスク装置の構成上の特徴は、フォーカスエラー信号の差動前信号のバランスを変えるフォーカスバランス調整部と、フォーカスエラー信号にオフセットを加算するフォーカスオフセット加算部と、フォーカスエラー信号が第１のレベル以上を超え、その後、第２のレベル以下になったときにフォーカス制御を動作させるフォーカス引込み部とを有する点である。
【００２３】
フォーカスオフセット加算部により、フォーカスエラー信号にオフセットを加算し、オフセット加算量に応じて、フォーカスバランス調整部によりフォーカスバランスをフォーカスオフセット加算前と同じ最適なバランスに補正する。その状態では、ターゲット層はフォーカスバランスが最適になっているが、他の層はフォーカスエラー信号が小さいため、フォーカスバランスが大きくずれた状態となる。その状態でフォーカス引込み部によりフォーカス引込みを行うと、ターゲット層のみで適切な波形のフォーカスエラー信号が見つかり、ターゲット層に直接フォーカスを引き込むことができる。
【００２４】
（光ディスク装置の構成）
次に本実施形態における光ディスク装置の構成を説明する。
【００２５】
図１は、本実施形態の光ディスク装置の概略構成を示すブロック図である。
【００２６】
本光ディスク装置は、光ピックアップ１０３と、光ディスクモータ１０１を駆動するモータ駆動回路１０２と、光ピックアップ１０３の動作を制御するサーボ制御回路１０６と、光ピックアップ１０３で検出した光ディスク１００上の情報信号を再生する再生回路１１０と、記録する情報に基づいて所定の変調方式でレーザダイオードをレーザ駆動回路１０７によってパルス状に発光させることにより、前記情報を光ディスク１００に書き込む記録回路１２３とを備えている。
【００２７】
光ピックアップ１０３は、光ビームを光ディスク１００上に集束させる光学系、光ディスクからの反射光を検出する光検出器、および光源として機能するレーザダイオードを有する。光ピックアップ１０３は、光ディスクモータ１０１上に装填された光ディスク１００に対し、集束されたレーザ光を照射する。ＲＦサーボアンプ１０４は、光ディスク１００から反射された光に基づいて電気信号を生成する。サーボ制御回路１０６は、光ディスクモータ１０１に装填された光ディスク１００に対してフォーカス制御およびトラッキング制御を実施する。またサーボ制御回路１０６は、光ディスク１００に対して光源およびレンズを用いて光ビームを照射することによって光ディスク１００がＢＤディスクであるかのディスク判別、単層もしくは２層か、あるいは２層より多い情報記録層をもつ多層判別を行うディスク判別部２６０（図２参照）を含む。
【００２８】
再生回路１１０は、ＲＦサーボアンプ１０４から出力された電気信号を波形等価回路などでイコライジングしてアナログ再生信号を生成する。生成された再生信号はデジタル化された後、ＰＬＬによってリードクロック（基準クロック）と同期し、データ抽出がなされる。その後、所定の復調、エラー訂正がなされた後、システムコントローラ１３０に入力される。システムコントローラ１３０は、Ｉ／Ｆ回路１３１を介してホスト１４０に接続される。
【００２９】
記録回路１２３は、ホスト１４０からＩ／Ｆ回路１３１を介して送られてくる情報（光ディスクに記録すべき情報）に、ヘッダやエラー訂正のための冗長ビットなどを付加し、所定の変調パターン（変調方式）に変調する。レーザ駆動回路１０７は、記録回路１２３の出力に基づいて、光ピックアップ１０３の中のレーザダイオードをパルス状に発光させる。光ディスク１００に入射するレーザ光の強度変調に応じて、光ディスク１００の記録材料（たとえば有機材料や相変化材料）の反射率を変えることで、「１」または「０」の情報の記録を行う。
【００３０】
（光ピックアップの構成）
図２は、図１の光ピックアップ１０３、サーボ制御回路１０６、およびその周辺部分をより詳細に記載したブロック図である。図２を用いてさらに説明する。
【００３１】
まず光ピックアップの構成を説明する。光ピックアップ１０３は、光源２２２と、カップリングレンズ２２４と、偏光ビームスプリッタ２２６と、球面収差補正装置２２８、対物レンズ２３０と、トラッキングアクチュエータ２３１と、フォーカスアクチュエータ２３２と、集光レンズ２３４と、光検出器２３６とを有している。トラッキングアクチュエータ２３１およびフォーカスアクチュエータ２３２は、全体して、「レンズアクチュエータ」と称される。
【００３２】
光源２２２は、光ビームを放射する半導体レーザダイオードから構成される。簡単のため、図２には単一の光源２２２が示されているが、実際の光源は、異なる波長の光ビームを放射する例えば３つの半導体レーザから構成される。具体的には、１つの光ピックアップがＣＤ、ＤＶＤ、およびＢＤ用に異なる波長の光ビームを放射する複数の半導体レーザを備える。
【００３３】
カップリングレンズ２２４は、光源２２２から放射された光ビームを平行光にする。偏光ビームスプリッタ２２６は、カップリングレンズ２２４からの平行光を反射する。光ディスクの種類に応じて光源２２２における半導体レーザの位置や、放射される光ビームの波長が異なるため、光ディスク１００の種類に応じて最適な光学系の構成は異なる。このため、実際の光ピックアップ１０３の構成は、図示されているものに比べて複雑である。
【００３４】
対物レンズ２３０は、偏光ビームスプリッタ２２６で反射された光ビームを集束する。対物レンズ２３０の位置は、アクチュエータ２３２がＦＥ信号およびＴＥ信号に基づいて所定の位置に制御する。光ディスク１００の情報記録層からデータを読み出し、あるいは情報記録層にデータを書き込むとき、対物レンズ２３０によって集束された光ビームの焦点は、情報記録層上に位置し、情報記録層上に光ビームのスポットが形成される。図２には、１つの対物レンズ２３０が記載されているが、現実には複数の対物レンズ２３０が備えられており、光ディスク１００の種類に応じて異なる対物レンズ２３０が用いられることになる。データの記録／再生時は、光ビームの焦点が情報記録層における所望のトラックを追従するようにフォーカスサーボおよびトラッキングサーボが動作し、対物レンズ２３０の位置が高精度に制御される。
【００３５】
光ディスク１００としてＢＤが装填された後、データの記録／再生動作を行なう前に、装填されたＢＤが多層ディスクか否か、また多層光ディスクの場合は、その多層光ディスクが何層の情報記録層を有しているかを判別するために、ディスク判別の動作を実行する。ディスク判別動作が行われるとき、対物レンズ２３０は、フォーカスアクチュエータ２３２の働きにより、光軸方向に沿って大きく位置を変化させることになる。また、ディスク判別は、光ディスク１００を回転させることなく行うことができる。
【００３６】
球面収差補正装置２２８は、例えば図５に示すように、ステッピングモータ８によって光軸方向に位置を変化させることのできる補正用レンズ１２０を備える。このモータ８によって補正用レンズ１２０の位置を調節することにより、球面収差の状態（補正量）を変化させることができる（ビームエキスパンダ方式）構成を備えている。球面収差補正装置２２８の構成は、このようなビームエキスパンダ方式の構成を備えている必要は無く、液晶素子やヒンジなどによって収差を補正する構成を備えていても良い。球面収差補正装置２２８によれば、光スポット位置を乗せるべき任意の情報記録層で球面収差を最小化するように球面収差補正を行うことができる。
【００３７】
再び図２を参照する。光ディスク１００の情報記録層で反射された光ビームは、対物レンズ２３０、球面収差補正装置２２８、および偏光ビームスプリッタ２２６を通過し、集光レンズ２３４に入射する。集光レンズ２３４は、対物レンズ２３０および偏光ビームスプリッタ２２６を通過してきた、光ディスク１００からの反射光を光検出器２３６上に集束させる。光検出器２３６は、集光レンズ２３４を通過した光を受け、その光信号を各種の電気信号（電流信号）に変換する。光検出器２３６は、例えば４分割の受光領域を有している。
【００３８】
光ピックアップ１０３は、トラバースモータ３６３により、光ディスク１００の半径方向に広い範囲で移動することができる。
【００３９】
（サーボ制御回路の構成）
図２のサーボ制御回路１０６は、フォーカス制御部２４０、トラッキング制御部２４１、球面収差制御部２４２、およびトラバース駆動回路２４３を備えており、これらを介してＣＰＵ２４６が光ピックアップ１０３の各種動作を制御する。サーボ制御回路１０６は、ＦＥ信号生成部２５０と、Ｓ字検出部２５２、ＴＥ信号検出部２６１、振幅検出部２６２、およびディスク判別部２６０を備えている。
【００４０】
フォーカス制御部２４０は、ＣＰＵ２４６の指示に従ってフォーカスアクチュエータ２３２を駆動し、対物レンズ２３０を光軸方向に沿って任意の位置に移動させることができる。フォーカス制御部２４０は、ＦＥ信号生成部２５０から出力されたＦＥ信号によって、光ディスク１００上の光スポットが所定の収束状態になるようにフォーカス制御を行う。
【００４１】
またトラッキング制御部２４１は、トラッキングアクチュエータ２３１を駆動し、対物レンズ２３０を光ディスク１００の半径方向に沿って任意の位置に移動させることができる。トラッキング制御部２４１は、ＴＥ信号生成部２６１から出力されたＴＥ信号によって、光ディスク１００上の光スポットがトラックを走査するようにトラッキング制御を行う。
【００４２】
トラバース制御回路２４３は、ＣＰＵ２４６およびＴＥ信号生成部２６１の出力に応じてトラバースモータ３６３を制御し、光ピックアップ１０３を光ディスク１００の半径方向における目的の位置に移動させる。
【００４３】
球面収差制御部２４２は、ＣＰＵ２４６の指示に従って球面収差補正装置２２８を所定の設定状態に制御する。
【００４４】
ＦＥ信号生成部２５０は、光検出部２３６に含まれる複数の受光領域から出力される電気信号に基づいてＦＥ信号を生成する。ＦＥ信号の生成法は、特に限定されず、非点収差法を用いたものでもよいし、ナイフエッジ法を用いたものでもよい。また、ＳＳＤ（スポット・サイズド・ディテクション）法を用いたものでもよい。ＦＥ信号生成部２５０から出力されるＦＥ信号は、ＣＰＵからの指令で所定の検出閾値が設定されるＳ字検出部２５２に入力される。
【００４５】
ＴＥ信号生成部２６１は、光検出部２３６に含まれる複数の受光領域から出力される電気信号に基づいてＴＥ信号を生成する。ＴＥ信号の生成法は、一般的にはＢＤ−ＲやＢＤ−ＲＥに代表される記録光ディスクのように凸凹のトラックを有するものはプッシュプル検出法、ＢＤ−ＲＯＭに代表される再生専用光ディスクのようにエンボス形状の情報プリピットを有するものは位相差検出法が主に用いられるが、特にトラッキングの方式で限定はされない。
【００４６】
ＴＥ信号生成部２６１から出力されるＴＥ信号は、トラックを横断するときに正弦波状に現れる信号振幅を、所定の球面収差の設定値において測定、検出する振幅検出部２６２に入力される。
【００４７】
Ｓ字検出部２５２は、フォーカスサーチ動作によって対物レンズ２３０が光軸方向に移動している間において、ＦＥ信号の振幅が所定の閾値を越えたかどうかでＳ字信号の検出を行う。ディスク判別部２６０は、Ｓ字検出部２５２で検出されるＳ字信号をカウントして多層光ディスクの層判別を行う。
【００４８】
またＣＰＵ２４６は、ＦＥ信号生成部２５０が生成したＦＥ信号が第１レベルを超え、その後、第２レベル以下になったときにフォーカス制御を動作させるフォーカス引込み手段の役割も行う。
【００４９】
図３は、図２のＦＥ信号生成部２５０とその周辺部分をより詳細に記載したブロック図である。ＦＥ信号生成部２５０は、ＦＥ信号の差動前信号のバランスを変えるフォーカスバランス調整部２５０ａと、ＦＥ信号にオフセットを加算するフォーカスオフセット加算部２５０ｂと、フォーカスオフセット加算部２５０ｂの出力に基づいて差動信号を生成する加算器とを含む。
【００５０】
フォーカスバランス調整部２５０ａは、信号光検出器２３６から出力される信号Ａ＋Ｄを受け取り、信号Ａ＋Ｄを増幅する第１の増幅器と、信号光検出器２３６から出力される信号Ｂ＋Ｃを受け取り、信号Ｂ＋Ｃを増幅する第２の増幅器と、これら２つの増幅器の増幅度を調整できるバランス制御部とを備えている。２つの増幅器の増幅度を調整することにより、差動後の信号、すなわち「信号Ａ＋Ｄ」から「信号Ｂ＋Ｃ」を差し引くことによって得られるＦＥ信号のバランスを調整することができる。
【００５１】
フォーカスオフセット加算部２５０ｂは、フォーカスバランス調整部２５０ａに含まれる第１の増幅器の出力にオフセットを加算する第１の加算器と、フォーカスバランス調整部２５０ａに含まれる第２の増幅器の出力にオフセットを加算する第２の加算器と、これら２つの加算器の出力に対するオフセット量を調整できるオフセット制御部とを備える。２つの加算器の出力に対するオフセット量を調整することにより、差動後の信号、すなわち「信号Ａ＋Ｄ」から「信号Ｂ＋Ｃ」を差し引くことによって得られるＦＥ信号のオフセット量を調整することができる。
【００５２】
ここで、第１の増幅器の増幅度をａ１、第２の増幅器の増幅度をａ２、第１の加算器の出力に対するオフセット量をｏ１、第２の加算器の出力に対するオフセット量をｏ２とすると、差動後のＦＥ信号は、以下の式で表される。
［｛ａ１（Ａ＋Ｄ）｝＋ｏ１］−［｛ａ２（Ｂ＋Ｃ）｝＋ｏ２］
＝｛ａ１（Ａ＋Ｄ）｝−｛ａ２（Ｂ＋Ｃ）｝＋ｏ１−ｏ２
【００５３】
ここで、ｏ１−ｏ２は、ＦＥ信号のオフセット量に相当する。ＦＥ信号のオフセット量は、ｏ１およびｏ２の大きさによって、負の値をとることもできる。
【００５４】
ＦＥ信号にオフセットを与え、かつ、バランスを調整する回路の構成は、図３に示す例に限定されない。フォーカスバランス調整部２５０ａとフォーカスオフセット加算部２５０ｂとの順序を入り替えてもよい。すなわち、オフセットは、フォーカスバランス調整部２５０ａに入力される前の、光検出器２３６の出力に与えられてもよい。また、フォーカスバランス調整部２５０ａおよびフォーカスオフセット加算部２５０ｂの内部構成も、図３に示す例に限定されない。
【００５５】
ＦＥ信号に対するオフセット量の設定およびバランスの調整は、光ディスク装置の光ピックアップの特定に応じて実行され得る。すなわち、上記の数値パラメータ、すなわち、ａ１、ａ２、ｏ１、およびｏ２の大きさは、光ディスク装置に装填される光ディスクごとに変更する必要はない。したがって、光ディスク装置が完成した後、各種の光ディスクの標準例を光ディスク装置に装填し、ＦＥ信号に対するオフセット量の設定およびバランスの調整が実行される。その結果、所望のＦＥ信号の波形が得られるように、ＦＥ信号に対するオフセット量の設定およびバランスの調整が行われる。
【００５６】
上記の値パラメータ、すなわち、ａ１、ａ２、ｏ１、およびｏ２は、ターゲット層に応じて異なる値をとり得る。したがって、好ましい実施形態における光ディスク装置は、ａ１、ａ２、ｏ１、およびｏ２の値をターゲット層と関連付けて記録するメモリを備えている。ターゲット層が特定されると、メモリから上記数値パラメータが読み出される。そして、図３に示すバランス制御部およびオフセット制御部が動作し、ターゲット層に応じて、オフセット量およびバランス量の設定が変更され得る。
【００５７】
フォーカス引込み部として機能するＣＰＵ２４６は、このＦＥ信号が第１のレベル（フォーカス引込み開始チェックレベル）を超え、その後、第２のレベル（フォーカス引込みレベル）以下になったときにフォーカス制御を動作させる。第１のレベル（フォーカス引込み開始チェックレベル）は、第２のレベル（フォーカス引込みレベル）よりも高い値に設定される。
【００５８】
図４は、本発明の実施形態におけるバランス補正およびオフセット補正に関する動作を示す図である。図４（ａ）は、２層ＢＤディスクにおいて、ターゲット層であるＬ０層にフォーカスジャンプを行う様子を示している。図４（ｂ）は、バランス調整とオフセット加算を実施しない場合の表面、Ｌ１層、Ｌ０層のＳ字波形を示す。図４（ｃ）は、オフセット加算を実施した場合の表面、Ｌ１層、Ｌ０層のＳ字波形を示す。図４（ｄ）は、バランス調整とオフセット加算を実施した場合の表面、Ｌ１層、Ｌ０層のＳ字波形を示す。
【００５９】
まず、図４（ａ）を参照する。Ｌ０層にフォーカス引き込みを行う場合、Ｌ０層で球面収差が最小になるように球面収差補正装置２２８における補正レンズ１２０を動かす。その場合、Ｌ１層では相対的に大きな球面収差が発生しているため、Ｌ１層から得られるＳ字の振幅が小さくなっている。しかし、ＦＥ信号の補正を行わないと、図４（ａ）に示すように、ＦＥ信号はＬ１層の位置の近くでフォーカス引き込み開始チェックレベルより高いレベルとなっている。また、ＦＥ信号は、Ｌ１層の位置の近くでフォーカス引き込みレベルより低いレベルとなっている。このように、バランス調整とオフセット加算を実施しない場合、Ｌ１層からのＳ字信号の振幅がフォーカス引込み開始チェックレベルを超え、かつ、フォーカス引込みレベル以下であるので、フォーカス引込み部２４６は、誤ってＬ１層においてフォーカス制御を動作させる。これでは、ターゲット層であるＬ０層に直接フォーカス引込みができない。
【００６０】
図４（ｃ）に示すように、フォーカスオフセット加算部２５０ｂによってターゲット層Ｌ０以外の情報記録層におけるＦＥ信号のゼロクロスに対する振幅の対称性を悪化させると、ＦＥ信号はＬ１層の位置の近くでフォーカス引き込み開始チェックレベルより高いレベルとなることを阻止できる。しかし、その結果、ターゲット層のＬ０層からのＳ字信号の対称性も悪化してしまっている。より詳細には、Ｌ０層の手前の位置でＦＥ信号はフォーカス引き込み開始チェックレベルよりも僅かに高いレベルにあるが、それらのレベル差は充分に大きくない。このため、そのままでは、Ｌ０層でのフォーカス引込みに失敗する可能性が生じる。
【００６１】
本実施形態によれば、図４（ｄ）に示すように、フォーカスバランス調整部２０５aによってＬ０層のＦＥ信号の対称性を改善させることができる。このとき、Ｌ１層は球面収差が発生しているため、ＦＥ振幅が小さい。従って、Ｌ０層のＦＥ信号の対称性を改善させる目的でフォーカスバランス調整部２０５aにおけるバランス制御部の設定を変更しても、その変更がＬ１層からのＳ字信号の振幅に与える影響が小さい。従って、ＦＥ信号振幅がＬ１層の位置の近傍でフォーカス引き込み開始チェックレベルを超えることはない。
【００６２】
なお、フォーカスオフセット加算部２０５ｂのオフセット加算量はターゲット層以外の層でＦＥ信号振幅がフォーカス引き込み開始チェックレベルを超えないレベルとなるように設定される。例えば、フォーカス引き込み開始チェックレベルの１／２になるように設定され得る。また、本実施形態では、フォーカスバランス調整部２０５aによってＬ０層のＦＥ信号の対称性を改善させることにより、ターゲット層（Ｌ０層）におけるＦＥ信号振幅がフォーカス引き込み開始チェックレベルの２倍以上になるようにする。
【００６３】
この状態でフォーカス引込み手段２４６によりフォーカス引込みを行うと、ターゲット層以外の情報記録層の位置では、ＦＥ信号の振幅が引き込み開始チェックレベルよりも十分に小さくなるため、ターゲット層であるＬ０層に直接フォーカスを引き込むことができる。
【００６４】
以上、２層の情報記録層を備える光ディスクについて説明してきたが、本発明の効果は、３層以上の情報記録層を備える多層ディスクにおいても同様に適用されて効果を得ることができる。すなわち、ターゲット層での球面収差が最小化されるように球面収差補正を行った状態で、フォーカスオフセット加算部２０５ｂによってターゲット層以外のＦＥ信号の対称性を悪化させる一方、フォーカスバランス調整部２０５aによって、ターゲット層のＦＥ信号の対称性を改善させる。こうすることにより、ターゲット層以外へのフォーカス誤引き込みをなくし、ターゲット層へのフォーカス引込みを短時間で行うことができる。この時間短縮の効果は、ＢＤなどの光ディスクにおいて多層数が増えれば、より顕著になる。
【産業上の利用可能性】
【００６５】
本発明にかかる光ディスク装置は、ＦＥ信号にオフセットを加え、このオフセット量に応じてターゲット層のフォーカスバランスを補正することで、ターゲット層以外のＦＥ信号を所定レベル以下にすることで、ターゲット層にフォーカスを直接引き込めることができる。このため、本発明は、多層光ディスクを再生または記録するプレーヤ、レコーダやＰＣ（パーソナルコンピュータ）等の用途にも適用できる。
【符号の説明】
【００６６】
１００    光ディスク
１０３    光ピックアップ
１０６    サーボ制御回路
２４６    ＣＰＵ（フォーカス引込み手段）
２５０    ＦＥ信号生成部
２５０ａ  フォーカスバランス調整部
２５０ｂ  フォーカスオフセット加算部
【図１】
2012252767.tif 000003
【図２】
2012252767.tif 000004
【図３】
2012252767.tif 000005
【図４】
2012252767.tif 000006
【図５】
2012252767.tif 000007